(57)【要約】【課題】録画日時等の情報をスマートに知らせることが可能な録画再生方法を提供すること。【解決手段】この発明の一実施形態に係る録画再生方法は、番組の録画予約を登録し、前記録画予約に基づき録画日時情報とともに番組を録画し、前記録画番組の再生指示に対応し、前記録画日時情報を表示するための表示情報を出力した後に、前記録画番組の再生情報を出力する。【選択図】      図３
2010063106.tif 000002
【特許請求の範囲】
【請求項１】
番組の録画予約を登録する録画予約登録手段と、
前記録画予約に基づき録画日時情報とともに番組を録画する録画制御手段と、
前記録画制御手段により録画された録画番組の再生指示に応じて、前記録画番組の録画日時情報を出力してから、前記録画番組の再生情報を出力する再生制御手段と、
を備えたことを特徴とする録画再生装置。
【請求項２】
前記再生制御手段は、
前記録画番組が再生当日の録画番組である場合には、前記録画番組の録画日時情報を第１の表示形式で表示するための第１の表示情報を出力し、
前記録画番組が再生した日の前日以前の録画番組である場合には、前記録画番組の録画日時情報を第２の表示形式で表示するための第２の表示情報を出力する、
ことを特徴とする請求項１に記載の録画再生装置。
【請求項３】
前記再生制御手段は、
前記録画番組が再生当日の録画番組である場合には、前記録画番組の録画日時情報に含まれた録画時刻を表示するための第１の表示情報を出力し、
前記録画番組が再生した日の前日以前の録画番組である場合には、前記録画番組の録画日時情報に含まれた日付を表示するための第２の表示情報を出力する、
ことを特徴とする請求項１に記載の録画再生装置。
【請求項４】
前記再生制御手段は、
前記録画番組が再生当日の録画番組である場合には、当日の録画番組であることを表示するための第１の表示情報を出力し、
前記録画番組が再生した日のｎ（ｎ：自然数）日前の録画番組である場合には、ｎ日前の録画番組であることを表示するための第２の表示情報を出力する、
ことを特徴とする請求項１に記載の録画再生装置。
【請求項５】
受信放送信号から、前記録画予約に対応したチャンネルの放送信号を選択する選択手段を備え、
前記録画制御手段は、前記指定チャンネルの放送信号に基づき、録画日時情報とともに番組を録画する、
ことを特徴とする請求項１に記載の録画再生装置。
【請求項６】
番組の録画予約を登録し、
前記録画予約に基づき録画日時情報とともに番組を録画し、
前記録画された録画番組の再生指示に応じて、前記録画番組の録画日時情報を出力してから、前記録画番組の再生情報を出力する、
ことを特徴とする録画再生方法。
【発明の詳細な説明】
【技術分野】
【０００１】
本発明は、番組の録画予約に基づき番組を録画し、録画された番組を再生する録画再生装置に関する。
【背景技術】
【０００２】
近年、デジタル放送対応の録画再生装置が普及しており、録画再生装置は録画予約に基づきデジタル放送の番組をハードディスク等へ録画することができる。また、録画再生装置は、ハードディスク等に録画された複数番組のタイトルを一覧表示し、一覧表示された複数番組のタイトルの中から選択されたタイトルの番組を再生することもできる。このような録画再生処理を通常予約録画再生処理と称する。
【０００３】
また、録画されたニュース番組又は天気予報番組を再生したときに、これら録画された過去のニュース番組又は天気予報番組の再生と、リアルタイムに放送されている現在のニュース番組又は天気予報番組の再生とを区別するための技術が提案されている（特許文献１参照）。
【０００４】
具体的には、録画再生装置が、番組録画時に、放送信号に含まれた番組情報に基づき録画番組がニュース番組又は天気予報番組であるかを判別し、録画番組がニュース番組又は天気予報番組である場合には、録画日時の情報を加えた番組信号を録画する。これにより、録画再生装置は、録画された過去のニュース番組又は天気予報番組の再生時に、画面上に番組の録画日時を表示する。
【０００５】
上記したような録画日時付きの再生により、録画番組の視聴者は、録画された過去のニュース番組又は天気予報番組が再生されていることを知ることができる。つまり、録画された過去のニュース番組又は天気予報番組の再生とリアルタイムに放送されている現在のニュース番組又は天気予報番組の再生とを区別することができ、勘違いを防止することができる。
【先行技術文献】
【特許文献】
【０００６】
【特許文献１】特開２００３−２７４３４４号公報
【発明の概要】
【発明が解決しようとする課題】
【０００７】
さらに、近年では、簡単操作で最新の番組（例えば最新のニュース番組）だけをいつでも視聴可能とする機能を搭載した録画再生装置が提案されている。最新のニュース番組だけをいつでも視聴可能にする例について説明する。最初に、ユーザは、視聴希望の複数のニュース番組の録画予約を設定する。このとき、ユーザは、これら複数のニュース番組の録画予約のグループ化を指定する。これに対応して、録画再生装置は、ユーザにより設定された複数のニュース番組の録画予約をグループ化して登録し、このグループ化して登録された録画予約に基づき複数のニュース番組を順次録画する。さらに、録画再生装置は、グループ化された録画予約に基づき録画されたニュース番組のうちの最新のニュース番組だけを残し、最新のニュース番組以外の録画済みニュース番組を削除する。これにより、録画再生装置は、ユーザからの特殊再生の指示に対応し、残された最新のニュース番組を再生する。このような録画再生処理を最新番組録画再生処理と称する。
【０００８】
この場合、ユーザは、特殊再生を指示していることから、最新のニュース番組が再生されていることを理解できる。ところが、最新のニュース番組が、当日のニュース番組であるとは限らない。いつのニュース番組であるかを明確にするために、上記したように再生画面中に録画日時を表示する方法が考えられる。
【０００９】
しかしながら、最新のニュース番組が再生されていることを理解できる前提では、常時、再生画面中に録画日時を表示せずに、よりスマートに録画日時等の情報を表示する方法が求められている。
【００１０】
本発明の目的は、録画日時等の情報をスマートに知らせることが可能な録画再生装置を提供することにある。
【課題を解決するための手段】
【００１１】
この発明の一実施形態に係る録画再生装置は、番組の録画予約を登録する録画予約登録手段と、前記録画予約に基づき録画日時情報とともに番組を録画する録画制御手段と、前記録画番組の再生指示に対応し、前記録画日時情報を表示するための表示情報を出力した後に、前記録画番組の再生情報を出力する再生制御手段とを備えている。
【発明の効果】
【００１２】
本発明によれば、録画日時等の情報をスマートに知らせることが可能な録画再生装置を提供できる。
【図面の簡単な説明】
【００１３】
【図１】この発明の一実施形態に係るデジタルテレビジョン受像機（録画再生装置）の外観と、このデジタルテレビジョン受像機を中心として構成されるネットワークシステムの一例を示す図である。
【図２】デジタルテレビジョン放送受信装置の主要な信号処理系を示す図である。
【図３】デジタルテレビジョン放送受信装置のリモートコントローラの外観の一例を示す図である。
【図４】最新番組録画再生処理の一例を示すフローチャートである。
【図５】最新の録画番組が当日の録画番組である場合の再生開始画面の第１例を示す図である。
【図６】最新の録画番組が前日以前の録画番組である場合の再生開始画面の第２例を示す図である。
【図７】最新の録画番組が当日の録画番組である場合の再生開始画面の第３例を示す図である。
【図８】最新の録画番組が昨日の録画番組である場合の再生開始画面の第４例を示す図である。
【図９】最新の録画番組がｎ日前の録画番組である場合の再生開始画面の第５例を示す図である。
【発明を実施するための形態】
【００１４】
以下、図面を参照し、本発明の実施形態について説明する。
【００１５】
図１は、この発明の一実施形態に係るデジタルテレビジョン受像機（録画再生装置）１１の外観と、このデジタルテレビジョン受像機１１を中心として構成されるネットワークシステムの一例を概略的に示している。
【００１６】
すなわち、デジタルテレビジョン受像機１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作モジュール１６、リモートコントローラ１７から送信される操作情報を受ける受光モジュール１８等が設置されている。
【００１７】
また、このデジタルテレビジョン受像機１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１８】
さらに、このデジタルテレビジョン受像機１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１９】
また、このデジタルテレビジョン受像機１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ端子２５を備えている。
【００２０】
ＬＡＮ端子２１は、ＬＡＮ対応ＨＤＤ（hard disk drive）専用ポートとして使用することができる。接続されたＮＡＳ（network attached storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００２１】
また、ＬＡＮ端子２１は、イーサネット（登録商標）を用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ、ＮＡＳ（Network Attached Storage）等の機器を接続し、これらの機器と情報伝送を行なうために使用される。
【００２２】
第１のＨＤＭＩ端子２２は、ＡＶアンプ２７を介して、ＤＶＤレコーダ２８およびＤＶＤプレーヤ２９の外部機器が接続されている。
【００２３】
また、第２のＨＤＭＩ端子２３は、例えばハブ３０を介して、ＨＤＭＩ端子を有したＡＶアンプ３１、ＰＣ（personal computer）３２、ＨＤＤ内臓のＤＶＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器と情報伝送するものである。
【００２４】
さらに、この第２のＨＤＭＩ端子２３は、ハブ３０に接続されたブロードバンドルータ３５を介して、例えばインターネット等のネットワーク３２に接続し、そのネットワーク３６を介してＰＣ３７や携帯電話３８等と情報伝送を行なうために使用される。
【００２５】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２６】
ｉ．ＬＩＮＫ端子２５は、例えばＡＶ−ＨＤＤ４５及びＤ（digital）−ＶＨＳ（video home system）４６、さらには、地上波デジタルチューナ（図示せず）等をシリアル接続し、これらの機器と情報伝送を行なうために使用される。
【００２７】
図２は、上記したデジタルテレビジョン放送受信装置１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００２８】
そして、このチューナ４９で選局された放送信号は、ＰＳＫ（phase shift keying）復調モジュール５０に供給されて、デジタルの映像信号及び音声信号に復調された後、信号処理モジュール５１に出力される。
【００２９】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００３０】
そして、このチューナ５４で選局された放送信号は、ＯＦＤＭ（orthogonal frequency division multiplexing）復調モジュール５５に供給されて、デジタルの映像信号及び音声信号に復調された後、上記信号処理モジュール５１に出力される。
【００３１】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調モジュール５７に供給されてアナログの映像信号及び音声信号に復調された後、上記信号処理モジュール５１に出力される。
【００３２】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００３３】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００３４】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００３５】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００３６】
そして、グラフィック処理モジュール５８から出力されたデジタルの映像信号は、映像処理モジュール６２に供給される。この映像処理モジュール６２は、入力されたデジタルの映像信号を、前記映像表示器１４で表示可能なフォーマットのアナログ映像信号に変換した後、映像表示器１４に出力して映像表示させるとともに、出力端子６３を介して外部に導出させる。
【００３７】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００３８】
ここで、このデジタルテレビジョン受像機１１は、上記した各種の受信動作を含むその全ての動作を制御モジュール６５によって統括的に制御されている。この制御モジュール６５は、ＣＰＵ（central processing unit）等を内蔵しており、前記操作モジュール１６からの操作情報、または、前記リモートコントローラ１７から送出され受光モジュール１８を介して受信した操作情報を受けて、その操作内容が反映されるように各モジュールをそれぞれ制御している。
【００３９】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００４０】
また、この制御モジュール６５は、カードＩ／Ｆ（interface）６９を介して、前記第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００４１】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応のＨＤＤ２６と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００４２】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続された各機器（図１参照）と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続された各機器（図１参照）と、第２のＨＤＭＩ Ｉ／Ｆ７５を介して情報伝送を行なうことができる。
【００４３】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続された各機器（図１参照）と、ＵＳＢ Ｉ／Ｆ７６を介して情報伝送を行なうことができる。
【００４４】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続された各機器（図１参照）と、ｉ．ＬＩＮＫ Ｉ／Ｆ７７を介して情報伝送を行なうことができる。
【００４５】
さらに、上記制御モジュール６５は、ＨＤＤ７８と接続されている。これにより、制御モジュール６５は、ＨＤＤ７８に対して情報伝送を行なうことができる。
【００４６】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、方向キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、特殊再生キー（今すぐニュースキー）１７ｑ等が設けられている。
【００４７】
次に、デジタルテレビジョン受像機１１による通常予約録画再生処理及び最新番組録画再生処理について説明する。
【００４８】
最初に、通常予約録画再生処理の一例について説明する。ユーザは、リモートコントローラ１７（番組表キー１７ｈ）を介して電子番組ガイド（ＥＰＧ）の表示を指示する。この指示に対応して、制御モジュール６５は、電子番組ガイドの表示を制御する。つまり、信号処理モジュール５１が、放送信号に含まれた電子番組ガイドを出力し、これにより映像表示器１４に電子番組ガイドが表示される。さらに、ユーザは、リモートコントローラ１７（方向キー１７ｉ、決定キー１７ｇ）を介して、電子番組ガイド上から録画したい番組を選択し、選択した番組の録画予約を指示する（通常の録画予約の指示）。制御モジュール６５の不揮発性メモリ６８は、選択された番組の録画予約情報を登録する（通常の録画予約の登録）。この録画したい番組の選択と選択した番組の録画予約の指定とを繰り返すことにより、複数の番組の録画予約情報を登録することができる。
【００４９】
制御モジュール６５は、登録された複数の番組の録画予約情報に基づき、複数の番組の録画を制御する。即ち、制御モジュール６５は、録画予約情報に含まれた録画予約番組の放送時間になると（或いは放送時間の所定時間前になると）、この録画予約番組の放送チャンネルの選択を指示する。この指示に対応し、チューナ４９、５４、又は５２は、この録画予約番組の放送チャンネルを選択する。これにより、信号処理モジュール５１には、この録画予約番組の放送チャンネルの信号が入力される。さらに、制御モジュール６５は、信号処理モジュール５１に入力された録画予約番組の放送チャンネルの信号をＨＤＤ７８へ入力する。ＨＤＤ７８は、入力された録画予約番組の放送チャンネルの信号を記録する。この録画予約番組の放送チャンネルの選択と録画予約番組の放送チャンネルの信号の記録とを繰り返すことにより、録画予約情報に含まれた全ての録画予約番組を録画することができる。また、制御モジュール６５は、上記した録画予約番組の録画に対応して録画リストを生成し、ＨＤＤ７８が録画リストを記録する。
【００５０】
ユーザが、リモートコントローラ１７を介して録画リスト表示を指示すると、制御モジュール６５は、録画リスト表示を制御する。つまり、制御モジュール６１は、ＨＤＤ７８から録画リストを受け取り、録画リストをＯＳＤ信号生成モジュール６１へ供給する。ＯＳＤ信号生成モジュール６１は、録画リストに基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。或いは、グラフィック処理モジュール５８は、信号処理モジュール５１から供給される映像信号をＯＳＤ信号へ切り替えて出力する。これにより、映像表示器１４には、ＯＳＤ信号に基づく録画リストが表示される。
【００５１】
ユーザが、リモートコントローラ１７（方向キー１７ｉ、決定キー１７ｇ）を介して録画リスト中の録画タイトルを選択すると、制御モジュール６５は、選択された録画タイトルの再生を制御する。つまり、制御モジュール６５は、選択された録画タイトルの音声データ及び映像データをＨＤＤ７８から受け取り、信号処理モジュール５１へ供給する。信号処理モジュール５１は、選択された録画タイトルの音声データを音声処理モジュール５９へ供給し、選択された録画タイトルの映像データをグラフィック処理モジュール５８へ供給する。これにより、選択された録画タイトルが再生される。
【００５２】
続いて、最新番組録画再生処理（いつでもニュース）の一例について説明する。ユーザは、リモートコントローラ１７（番組表キー１７ｈ）を介して電子番組ガイド（ＥＰＧ）の表示を指示する。この指示に対応して、制御モジュール６５は、電子番組ガイドの表示を制御する。つまり、信号処理モジュール５１が、地上デジタルテレビジョン放送信号に含まれた電子番組ガイドを出力し、これにより映像表示器１４に電子番組ガイドが表示される。さらに、ユーザは、リモートコントローラ１７（方向キー１７ｉ、決定キー１７ｇ）を介して、電子番組ガイド上から録画したい番組を選択し、選択した番組の録画予約のグループ化を指示する（いつでもニュースの録画予約の指示）。
【００５３】
ここで録画予約のグループ化について具体例を挙げて説明する。例えば、ユーザは、電子番組ガイド上から録画したいニュース番組Ａを選択し、選択したニュース番組Ａの毎日録画又は月曜日〜金曜日の録画を予約しグループ化を指示する。これにより、選択したニュース番組Ａの毎日録画又は月曜日〜金曜日の録画が一つのグループに登録される。これにより、グループ登録されたニュース番組Ａの録画再生処理は、通常予約録画再生処理とは区別される。
【００５４】
或いは、ユーザは、電子番組ガイド上から録画したいニュース番組Ａ、ニュース番組Ｂ、ニュース番組Ｃを選択し、選択したニュース番組Ａ、Ｂ、Ｃの録画を予約しグループ化を指示する。これにより、選択したニュース番組Ａ、Ｂ、Ｃの録画が一つのグループに登録される。これにより、グループ登録されたニュース番組Ａ、Ｂ、Ｃの録画再生処理は、通常予約録画再生処理とは区別される。
【００５５】
或いは、ユーザは、電子番組ガイド上から録画したいニュース番組Ａを選択し、選択したニュース番組Ａの毎日録画又は月曜日〜金曜日の録画を予約しグループ化を指示する。これにより、選択したニュース番組Ａの毎日録画又は月曜日〜金曜日の録画が一つのグループに登録される。さらに、ユーザは、電子番組ガイド上から録画したいニュース番組Ｂ、ニュース番組Ｃを選択し、選択したニュース番組Ｂ、Ｃの録画を予約しグループ化を指示する。これにより、選択したニュース番組Ａの毎日録画又は月曜日〜金曜日の録画と、選択したニュース番組Ｂ、Ｃの録画が一つのグループに登録される。これにより、グループ登録されたニュース番組Ａ、Ｂ、Ｃの録画再生処理は、通常予約録画再生処理とは区別される。
【００５６】
上記したユーザによる選択操作及びグループ化指示操作に対応し、制御モジュール６５の不揮発性メモリ６８は、選択された番組の録画予約情報をグループ化して登録する（いつでもニュースの録画予約の登録）。この録画したい番組の選択と選択した番組の録画予約のグループ化の指定とを繰り返すことにより、番組の録画予約情報をグループ化して登録することができる。つまり、グループ登録された番組の録画再生処理を、通常予約録画再生処理と区別することができる。
【００５７】
制御モジュール６５は、グループ化された録画予約情報に基づき、番組の録画を制御する。即ち、制御モジュール６５は、録画予約情報に含まれた録画予約番組の放送時間になると（或いは放送時間の所定時間前になると）、この録画予約番組の放送チャンネルの選択を指示する。この指示に対応し、チューナ４９、５４、又は５２は、この録画予約番組の放送チャンネルを選択する。これにより、信号処理モジュール５１には、この録画予約番組の放送チャンネルの信号が入力される。さらに、制御モジュール６５は、信号処理モジュール５１に入力された録画予約番組の放送チャンネルの信号をＨＤＤ７８へ入力する。ＨＤＤ７８は、入力された録画予約番組の放送チャンネルの信号を記録する。
【００５８】
また、このとき、制御モジュール６５は、グループ化された番組の録画予約情報に基づき録画された録画番組のうちの少なくとも最新の録画番組を残し、この最新の録画番組以外のうちの少なくとも一つの録画番組を削除する。これにより、グループ化された複数の番組の録画予約情報に基づき録画された録画番組は、常に、少なくとも最新の録画番組を含む。この場合、録画番組の録画リストを表示できるようにしてもよい。これにより、録画番組の録画リストから見逃した最新以外の録画番組を選択することにより、見逃した最新以外の録画番組の視聴が可能となる。
【００５９】
或いは、制御モジュール６５は、グループ化された番組の録画予約情報に基づき録画された録画番組のうちの最新の録画番組だけを残し、この最新の録画番組以外の録画番組をすべて削除する。これにより、グループ化された複数の番組の録画予約情報に基づき録画された録画番組は、常に、最新の録画番組だけとなる。そのため、グループ化された複数の番組の録画予約情報に基づき録画された録画番組の録画リストは表示できなくてもよい。
【００６０】
ユーザが、リモートコントローラ１７（特殊再生キー１７ｑ）を介して再生（特殊再生）を指示すると、制御モジュール６５は、残された最新の録画番組の再生を制御する。つまり、制御モジュール６５は、残された最新の録画番組の音声データ及び映像データをＨＤＤ７８から受け取り、信号処理モジュール５１へ供給する。信号処理モジュール５１は、残された最新の録画番組の音声データを音声処理モジュール５９へ供給し、残された最新の録画番組の映像データをグラフィック処理モジュール５８へ供給する。これにより、残された最新の録画番組が再生される。
【００６１】
上記説明した通常予約録画再生処理によれば、映画、ドラマ、及びスポーツなど様々な番組を複数録画することができ、録画された複数の番組の中（録画リストの中）から、好みの番組を選択して再生することができる。つまり、今日録画した番組、昨日録画した番組、１週間前に録画した番組の中から、好みの番組を選択して再生することができる。
【００６２】
これに対して、最新番組録画再生処理は、ニュース及び天気予報など最新の情報が重要視される番組の録画に適する。そのため、最新番組録画再生処理では、少なくとも最新の録画番組だけを残して、この最新の録画番組以外の録画番組のうちの少なくとも一つの録画番組を削除する。そのため、録画リスト表示を省略することができ、特殊再生の指示に対応して、最新の録画番組を再生することができる。
【００６３】
なお、デジタルテレビジョン受像機１１は、通常予約録画再生処理及び最新番組録画再生処理の両者を区別して実行することができる。つまり、通常予約録画再生処理は、録画後に相当な時間が経過してからでも視聴する価値のある番組の処理に適しており、最新番組録画再生処理は、新しさが重要視される番組の処理に適している。
【００６４】
また、通常予約録画再生処理の録画時間と最新番組録画再生処理の録画時間とが重なっている場合には、例えば、通常予約録画再生処理の録画を優先する。
【００６５】
次に、図４を参照して、最新番組録画再生処理における録画情報（録画日時情報等）の取り扱いについて説明する。上記説明したように、最新番組録画再生処理では録画リスト表示を省略することができる。このため、録画リストを使って、録画日時を確認することができない場合がある。そこで、最新番組録画再生処理では、再生前に録画情報（録画日時情報等）を表示する。そのために、最新番組録画再生処理では、録画情報（録画日時情報等）を取得し記憶する（ステップＳ４１）。
【００６６】
例えば、制御モジュール６５は、番組の放送信号に含まれた番組情報に基づき録画情報を生成し、ＨＤＤ７８が、番組の映像信号及び音声信号とともに録画情報を記憶する。録画情報は、チャンネル番号、タイトル、放送日時情報（録画日時情報）を含む。なお、録画日時情報は、デジタルテレビジョン受像機１１が保持する現在時刻情報から生成するようにしてもよい。
【００６７】
これにより、ユーザが、リモートコントローラ１７（特殊再生キー１７ｑ）を介して最新録画番組再生を指示すると、制御モジュール６５は、ＨＤＤ７８に記憶された録画情報に含まれた録画日時情報をＯＳＤ信号生成モジュール６１へ供給する。ＯＳＤ信号生成モジュール６１は、録画日時情報に基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。これにより、映像表示器１４には、録画日時情報が表示される（ステップＳ４２）。
【００６８】
この後、制御モジュール６５は、ＨＤＤ７８に記憶された最新番組の音声データ及び映像データを信号処理モジュール５１へ供給する。信号処理モジュール５１は、最新の録画番組の音声データを音声処理モジュール５９へ供給し、最新の録画番組の映像データをグラフィック処理モジュール５８へ供給する。これにより、最新の録画番組が再生される（ステップＳ４３）。
【００６９】
以上より、最新の録画番組の録画日時情報が再生されてから、最新の録画番組が再生される。これにより、ユーザは、これから再生される最新の録画番組がいつ録画された番組であるかを知ることができる。
【００７０】
例えば、制御モジュール６５は、最新の録画番組が当日の録画番組である場合には、最新の録画番組の録画日時情報を第１の表示形式（録画時刻）で表示するように制御する。これに対応し、ＯＳＤ信号生成モジュール６１は、第１の表示形式で表示するための第１の表示情報を出力する。この結果、図５に示すように、最新の録画番組の録画時刻が表示され、この後、最新の録画番組の再生が開始される。
【００７１】
また、制御モジュール６５は、最新の録画番組が前日以前の録画番組である場合には、最新の録画番組の録画日時情報を第２の表示形式（日付又は日付と録画時刻）で表示するように制御する。これに対応し、ＯＳＤ信号生成モジュール６１は、第２の表示形式で表示するための第２の表示情報を出力する。この結果、図６に示すように、最新の録画番組の録画日と録画時刻が表示され、この後、最新の録画番組の再生が開始される。なお、図６の表示例では、録画日、録画曜日、録画時刻を表示しているが、録画日だけを表示するようにしてもよい。
【００７２】
また、制御モジュール６５は、最新の録画番組が当日の録画番組である場合には、当日の録画番組であることを表示するように制御してもよい。これに対応し、ＯＳＤ信号生成モジュール６１は、当日の録画番組であることを表示するための表示情報を出力する。この結果、図７に示すように、最新の録画番組が当日の録画番組（本日の番組）であることが表示され、この後、最新の録画番組の再生が開始される。
【００７３】
また、制御モジュール６５は、最新の録画番組が前日の録画番組である場合には、前日の録画番組であることを表示するように制御してもよい。これに対応し、ＯＳＤ信号生成モジュール６１は、前日の録画番組であることを表示するための表示情報を出力する。この結果、図８に示すように、最新の録画番組が前日の録画番組（昨日の番組）であることが表示され、この後、最新の録画番組の再生が開始される。
【００７４】
或いは、制御モジュール６５は、最新の録画番組がｎ（ｎ：自然数）日前の録画番組である場合には、ｎ日前の録画番組であることを表示するように制御してもよい。これに対応し、ＯＳＤ信号生成モジュール６１は、ｎ日前の録画番組であることを表示するための表示情報を出力する。この結果、図９に示すように、最新の録画番組がｎ日前（昨日の番組、３日前の番組、４日前の番組など）の録画番組であることが表示され、この後、最新の録画番組の再生が開始される。
【００７５】
このように、最新の録画番組がいつ録画された番組であるかを録画番組の再生前に表示する。これにより、いつ録画された番組であるかを確認してから録画番組を視聴することができる。
【００７６】
また、当日録画された最新の録画番組と、前日以前に録画された最新の録画番組とで、録画日時の表示形式を変えることにより、当日の録画番組なのか、前日以前の録画番組なのかをより強調してユーザに通知することができる。当日録画された録画番組の場合は、録画時刻だけを表示することにより（或いは録画時刻を強調して表示することにより）、当日録画で重要な録画時刻が確認し易くなる。また、前日以前に録画された録画番組の場合は、録画日だけを表示することにより（或いは録画日を強調して表示することにより）、前日以前の録画で重要な録画日が確認し易くなる。
【００７７】
なお、上記した録画日時に加えて、録画番組のチャンネル番号、録画番組のタイトルを表示するようにしてもよい。これにより、再生前に、番組に関する各種情報を知ることができる。
【００７８】
また、録画情報を再生（表示）した後に録画番組の本編を再生し、この本編の再生を一時停止又は停止した後に再生を再開すると、例えば、録画情報を再生（表示）した後に本編の再生を再開する。これにより、本編の再生を一時停止又は停止してから時間が経過した場合でも、録画番組の再生とリアルタイムに放送されている番組の再生とを区別することができる。
【００７９】
なお、上記したモジュールとは、ハードウェアで実現するものであっても良いし、ＣＰＵ等を使ってソフトウェアで実現するものであってもよい。
【００８０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００８１】
以下に、原出願の分割直前の特許請求の範囲に記載された発明を付記する。
【００８２】
［１］
録画再生装置は、
番組の録画予約をグループ化して登録する録画予約登録手段と、
前記録画予約に基づき録画日時情報とともに番組を録画し、この録画番組のうちの少なくとも最新の録画番組を残し、この最新の録画番組以外の録画番組のうちの少なくとも１つを削除する録画制御手段と、
前記録画番組の再生指示に対応し、前記最新の録画番組の録画日時情報を表示するための表示情報を出力してから、前記最新の録画番組の再生情報を出力する再生制御手段と、
を備える。
【００８３】
［２］
上記［１］に記載の録画再生装置であって、
前記再生制御手段は、
前記最新の録画番組が当日の録画番組である場合には、前記最新の録画番組の録画日時情報を第１の表示形式で表示するための第１の表示情報を出力し、
前記最新の録画番組が前日以前の録画番組である場合には、前記最新の録画番組の録画日時情報を第２の表示形式で表示するための第２の表示情報を出力する。
【００８４】
［３］
上記［１］に記載の録画再生装置であって、
前記再生制御手段は、
前記最新の録画番組が当日の録画番組である場合には、前記最新の録画番組の録画日時情報に含まれた録画時刻を表示するための第１の表示情報を出力し、
前記最新の録画番組が前日以前の録画番組である場合には、前記最新の録画番組の録画日時情報に含まれた日付を表示するための第２の表示情報を出力する。
【００８５】
［４］
上記［１］に記載の録画再生装置であって、
前記再生制御手段は、
前記最新の録画番組が当日の録画番組である場合には、当日の録画番組であることを表示するための第１の表示情報を出力し、
前記最新の録画番組がｎ（ｎ：自然数）日前の録画番組である場合には、ｎ日前の録画番組であることを表示するための第２の表示情報を出力する。
【００８６】
［５］
上記［１］に記載の録画再生装置は、
受信放送信号から、前記録画予約に対応したチャンネルの放送信号を選択する選択手段を備え、
前記録画制御手段は、前記指定チャンネルの放送信号に基づき、録画日時情報とともに番組を録画する。
【符号の説明】
【００８７】
１１…情報通信端末、１２…キャビネット、１３…支持台、１４…映像表示器、１５…スピーカ、１６…操作モジュール、１７…リモートコントローラ、１８…受光モジュール、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、２６…ＨＤＤ、２７…ＡＶアンプ、２８…ＤＶＤレコーダ、２９…ＤＶＤプレーヤ、３０…ハブ、３１…ＡＶアンプ、３２…ＰＣ、３３…ＤＶＤレコーダ、３４…ＡＶアンプ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤ、４４…キーボード、４５…ＡＶ−ＨＤＤ、４６…Ｄ−ＶＨＳ、４３…ＤＶＤレコーダ、４４…ＤＶＤプレーヤ、４５…ＤＶＤプレーヤ、４６…ＨＤＤ、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
2010063106.tif 000003
【図２】
2010063106.tif 000004
【図３】
2010063106.tif 000005
【図４】
2010063106.tif 000006
【図５】
2010063106.tif 000007
【図６】
2010063106.tif 000008
【図７】
2010063106.tif 000009
【図８】
2010063106.tif 000010
【図９】
2010063106.tif 000011